【手続補正書】
【提出日】平成28年3月4日(2016.3.4)
【手続補正１】
【補正対象書類名】明細書
【補正対象項目名】発明の名称
【補正方法】変更
【補正の内容】
【発明の名称】情報処理システム、情報処理装置、その制御方法及びプログラム
【手続補正２】
【補正対象書類名】明細書
【補正対象項目名】０００１
【補正方法】変更
【補正の内容】
【０００１】
本発明は、情報処理システム、情報処理装置、その制御方法及びプログラムに関する。
【手続補正３】
【補正対象書類名】明細書
【補正対象項目名】０００９
【補正方法】変更
【補正の内容】
【０００９】
本発明は、スキャンを複数回行って得られたスキャンデータを、容易にまとめて登録することを可能とする仕組みを提供することを目的とする。
【手続補正４】
【補正対象書類名】明細書
【補正対象項目名】００１０
【補正方法】変更
【補正の内容】
【００１０】
本願発明の情報処理システムは、画像読取処理をする読み取り機構を備える画像処理装置と、サーバ装置とを含む情報処理システムであって、前記サーバ装置は、前記画像処理装置における画像読取処理に用いる設定を含むスキャンチケットデータであって、複数回利用可能なスキャンチケットを記憶するスキャンチケット記憶手段と、当該複数回利用可能なスキャンチケットを用いた画像読取処理に応じて生成された複数のスキャンデータを、当該スキャンチケットと対応付けて管理する管理手段と、前記画像処理装置にスキャンチケットの一覧を送信するスキャンチケット一覧送信手段と、を備え、前記画像処理装置は、
スキャンチケットの一覧を受信するスキャンチケット一覧受信手段と、前記スキャンチケット一覧受信手段により受信したスキャンチケットの一覧を表示するスキャンチケット一覧表示手段と、当該前記画像処理装置において表示されたスキャンチケットの一覧において選択された複数回利用可能なスキャンチケットと対応付けられたスキャンデータであって、前記管理手段において当該選択されたスキャンチケットに対応付けて管理されている複数のスキャンデータを、前記画像処理装置において表示すべく制御する表示制御手段と、前記表示制御手段により表示された複数のスキャンデータをまとめる順序の指定を受け付ける順序指定受付手段と、を備え、前記サーバ装置はさらに、前記順序指定受付手段で指定された順序に従って、当該複数のスキャンデータを当該順序となるようにまとめて登録する登録手段と、を備えることを特徴とする。
【手続補正５】
【補正対象書類名】明細書
【補正対象項目名】００１１
【補正方法】変更
【補正の内容】
【００１１】
本願発明の情報処理装置は、画像読取処理をする読み取り機構を備える画像処理装置であって、スキャンチケットの一覧を受信するスキャンチケット一覧受信手段と、前記スキャンチケット一覧受信手段により受信したスキャンチケットの一覧を表示するスキャンチケット一覧表示手段と、当該前記画像処理装置において表示されたスキャンチケットの一覧において選択された複数回利用可能なスキャンチケットと対応付けられたスキャンデータであって、情報処理装置において当該選択されたスキャンチケットに対応付けて管理されている複数のスキャンデータを、前記画像処理装置において表示すべく制御する表示制御手段と、前記表示制御手段により表示された複数のスキャンデータをまとめる順序の指定を受け付ける順序指定受付手段と、を備える画像処理装置と通信可能な情報処理装置であって、前記画像処理装置における画像読取処理に用いる設定を含むスキャンチケットデータであって、複数回利用可能なスキャンチケットを記憶するスキャンチケット記憶手段と、当該複数回利用可能なスキャンチケットを用いた画像読取処理に応じて生成された複数のスキャンデータを、当該スキャンチケットと対応付けて管理する管理手段と、前記画像処理装置にスキャンチケットの一覧を送信するスキャンチケット一覧送信手段と、前記順序指定受付手段で指定された順序に従って、当該複数のスキャンチケットデータを当該順序となるようにまとめて登録する登録手段と、を備えることを特徴とする。
【手続補正６】
【補正対象書類名】明細書
【補正対象項目名】００１２
【補正方法】変更
【補正の内容】
【００１２】
本発明によれば、スキャンを複数回行って得られたスキャンデータを、容易にまとめて登録することができる。
【手続補正７】
【補正対象書類名】特許請求の範囲
【補正対象項目名】全文
【補正方法】変更
【補正の内容】
【特許請求の範囲】
【請求項１】
画像読取処理をする読み取り機構を備える画像処理装置と、サーバ装置とを含む情報処理システムであって、
前記サーバ装置は、
前記画像処理装置における画像読取処理に用いる設定を含むスキャンチケットデータであって、複数回利用可能なスキャンチケットを記憶するスキャンチケット記憶手段と、
当該複数回利用可能なスキャンチケットを用いた画像読取処理に応じて生成された複数のスキャンデータを、当該スキャンチケットと対応付けて管理する管理手段と、
前記画像処理装置にスキャンチケットの一覧を送信するスキャンチケット一覧送信手段と、
を備え、
前記画像処理装置は、
スキャンチケットの一覧を受信するスキャンチケット一覧受信手段と、
前記スキャンチケット一覧受信手段により受信したスキャンチケットの一覧を表示するスキャンチケット一覧表示手段と、
当該前記画像処理装置において表示されたスキャンチケットの一覧において選択された複数回利用可能なスキャンチケットと対応付けられたスキャンデータであって、前記管理手段において当該選択されたスキャンチケットに対応付けて管理されている複数のスキャンデータを、前記画像処理装置において表示すべく制御する表示制御手段と、
前記表示制御手段により表示された複数のスキャンデータをまとめる順序の指定を受け付ける順序指定受付手段と、
を備え、
前記サーバ装置はさらに、
前記順序指定受付手段で指定された順序に従って、当該複数のスキャンデータを当該順序となるようにまとめて登録する登録手段と、
を備えることを特徴とする情報処理システム。
【請求項２】
前記スキャンチケット一覧表示手段は、一覧に表示されるスキャンチケットが複数回利用可能なスキャンチケットか否かを識別可能に当該スキャンチケットの一覧を表示することを特徴とする請求項１に記載の情報処理システム。
【請求項３】
前記スキャンチケットは、当該スキャンチケットを用いた画像読取処理に応じて生成された複数のスキャンデータを結合するか否かの設定を含み、
前記登録手段は、前記複数のスキャンデータの生成に用いられたスキャンチケットの設定が、当該スキャンチケットを用いた画像読取処理に応じて生成された複数のスキャンデータを結合する旨を示す場合に、前記順序指定受付手段で指定を受け付けた順序になるように当該複数のスキャンデータをまとめた、結合後のスキャンデータを登録することを特徴とする請求項１又は２に記載の情報処理システム。
【請求項４】
前記スキャンチケット一覧表示手段により表示されたスキャンチケットに一覧において、複数のスキャンデータの結合をする設定がされたスキャンチケットが選択された場合に、前記順序指定受付手段による、当該選択されたスキャンチケットを用いた画像読取処理に応じて生成された複数のスキャンデータの結合の順序を指定する操作が可能な操作部を表示する操作部表示手段と、
を備え、
前記順序指定受付手段は、前記操作部表示手段で表示された操作部に対する操作により、前記スキャンデータを結合する順序の指定を受け付けることを特徴とする請求項３に記載の情報処理システム。
【請求項５】
前記登録手段は、前記スキャンチケットに対応付けて設定されるスキャンの完了条件が満たされた場合に、前記順序指定受付手段で指定を受け付けた順序になるように、当該完了条件を満たしたスキャンチケットに対応する複数のスキャンデータを結合してまとめた、結合後のスキャンデータを登録することを特徴とする請求項１乃至４のいずれか１項に記載の情報処理システム。
【請求項６】
前記スキャンチケットに対応付けられた完了条件として、スキャンチケットの使用期限を示す日時情報及びスキャンチケットの利用回数の少なくともいずれか１つを設定可能であって、
前記登録手段は、前記スキャンチケットの使用期限が切れる、又は、前記スキャンチケットの利用回数が前記完了条件に設定された利用回数に達した場合に、前記完了条件が満たされたものとし、前記順序指定受付手段で指定を受け付けた順序になるように複数のスキャンデータを結合してまとめて登録することを特徴とする請求項５に記載の情報処理システム。
【請求項７】
画像読取処理をする読み取り機構を備える画像処理装置と、前記画像処理装置における画像読取処理に用いる設定を含むスキャンチケットデータであって、複数回利用可能なスキャンチケットを記憶するスキャンチケット記憶手段と、当該複数回利用可能なスキャンチケットを用いた画像読取処理に応じて生成された複数のスキャンデータを、当該スキャンチケットと対応付けて管理する管理手段とを備えるサーバ装置と、を含む情報処理システムの制御方法であって、
前記サーバ装置において、
前記画像処理装置にスキャンチケットの一覧を送信するスキャンチケット一覧送信工程
を含み、
前記画像処理装置において、
スキャンチケットの一覧を受信するスキャンチケット一覧受信工程と、
前記スキャンチケット一覧受信工程により受信したスキャンチケットの一覧を表示するスキャンチケット一覧表示工程と、
当該前記画像処理装置において表示されたスキャンチケットの一覧において選択された複数回利用可能なスキャンチケットと対応付けられたスキャンデータであって、前記管理手段において当該選択されたスキャンチケットに対応付けて管理されている複数のスキャンデータを、前記画像処理装置において表示すべく制御する表示制御工程と、
前記表示制御工程により表示された複数のスキャンデータをまとめる順序の指定を受け付ける順序指定受付工程と、
を含み、
前記サーバ装置においてさらに、
前記順序指定受付工程で指定された順序に従って、当該複数のスキャンデータを当該順序となるようにまとめて登録する登録工程と、
を備えることを特徴とする情報処理システム。
【請求項８】
画像読取処理をする読み取り機構を備える画像処理装置と、前記画像処理装置における画像読取処理に用いる設定を含むスキャンチケットデータであって、複数回利用可能なスキャンチケットを記憶するスキャンチケット記憶手段と、前記複数回利用可能なスキャンチケットを用いた画像読取処理に応じて生成された複数のスキャンデータを、当該スキャンチケットと対応付けて管理する管理手段とを備えるサーバ装置と、を含む情報処理システムで実行が可能なコンピュータプログラムであって、
前記サーバ装置を、
前記画像処理装置にスキャンチケットの一覧を送信するスキャンチケット一覧送信手段として機能させ、
前記画像処理装置を、
スキャンチケットの一覧を受信するスキャンチケット一覧受信手段と、
前記スキャンチケット一覧受信手段により受信したスキャンチケットの一覧を表示するスキャンチケット一覧表示手段と、
当該前記画像処理装置において表示されたスキャンチケットの一覧において選択された複数回利用可能なスキャンチケットと対応付けられたスキャンデータであって、前記管理手段において当該選択されたスキャンチケットに対応付けて管理されている複数のスキャンデータを、前記画像処理装置において表示すべく制御する表示制御手段と、
前記表示制御手段により表示された複数のスキャンデータをまとめる順序の指定を受け付ける順序指定受付手段として機能させ、
前記サーバ装置をさらに、
前記順序指定受付手段で指定された順序に従って、当該複数のスキャンデータを当該順序となるようにまとめて登録する登録手段として機能させることを特徴とするコンピュータプログラム。
【請求項９】
画像読取処理をする読み取り機構を備える画像処理装置であって、スキャンチケットの一覧を受信するスキャンチケット一覧受信手段と、前記スキャンチケット一覧受信手段により受信したスキャンチケットの一覧を表示するスキャンチケット一覧表示手段と、当該前記画像処理装置において表示されたスキャンチケットの一覧において選択された複数回利用可能なスキャンチケットと対応付けられたスキャンデータであって、情報処理装置において当該選択されたスキャンチケットに対応付けて管理されている複数のスキャンデータを、前記画像処理装置において表示すべく制御する表示制御手段と、前記表示制御手段により表示された複数のスキャンデータをまとめる順序の指定を受け付ける順序指定受付手段と、を備える画像処理装置と通信可能な情報処理装置であって、
前記画像処理装置における画像読取処理に用いる設定を含むスキャンチケットデータであって、複数回利用可能なスキャンチケットを記憶するスキャンチケット記憶手段と、
当該複数回利用可能なスキャンチケットを用いた画像読取処理に応じて生成された複数のスキャンデータを、当該スキャンチケットと対応付けて管理する管理手段と、
前記画像処理装置にスキャンチケットの一覧を送信するスキャンチケット一覧送信手段と、
前記順序指定受付手段で指定された順序に従って、当該複数のスキャンチケットデータを当該順序となるようにまとめて登録する登録手段と、
を備えることを特徴とする情報処理装置。
【請求項１０】
画像読取処理をする読み取り機構を備える画像処理装置であって、スキャンチケットの一覧を受信するスキャンチケット一覧受信手段と、前記スキャンチケット一覧受信手段により受信したスキャンチケットの一覧を表示するスキャンチケット一覧表示手段と、当該前記画像処理装置において表示されたスキャンチケットの一覧において選択された複数回利用可能なスキャンチケットと対応付けられたスキャンデータであって、情報処理装置において当該選択されたスキャンチケットに対応付けて管理されている複数のスキャンデータを、前記画像処理装置において表示すべく制御する表示制御手段と、前記表示制御手段により表示された複数のスキャンデータをまとめる順序の指定を受け付ける順序指定受付手段と、を備える画像処理装置と通信可能な情報処理装置の制御方法であって、
前記画像処理装置における画像読取処理に用いる設定を含むスキャンチケットデータであって、複数回利用可能なスキャンチケットを記憶するスキャンチケット記憶工程と、
当該複数回利用可能なスキャンチケットを用いた画像読取処理に応じて生成された複数のスキャンデータを、当該スキャンチケットと対応付けて管理する管理工程と、
前記画像処理装置にスキャンチケットの一覧を送信するスキャンチケット一覧送信工程と、
前記順序指定受付手段で指定された順序に従って、当該複数のスキャンチケットデータを当該順序となるようにまとめて登録する登録工程と、
を含むことを特徴とする情報処理装置の制御方法。
【請求項１１】
画像読取処理をする読み取り機構を備える画像処理装置であって、スキャンチケットの一覧を受信するスキャンチケット一覧受信手段と、前記スキャンチケット一覧受信手段により受信したスキャンチケットの一覧を表示するスキャンチケット一覧表示手段と、当該前記画像処理装置において表示されたスキャンチケットの一覧において選択された複数回利用可能なスキャンチケットと対応付けられたスキャンデータであって、情報処理装置において当該選択されたスキャンチケットに対応付けて管理されている複数のスキャンデータを、前記画像処理装置において表示すべく制御する表示制御手段と、前記表示制御手段により表示された複数のスキャンデータをまとめる順序の指定を受け付ける順序指定受付手段と、を備える画像処理装置と通信可能な情報処理装置で実行が可能なコンピュータプログラムであって、
前記情報処理装置を、
前記画像処理装置における画像読取処理に用いる設定を含むスキャンチケットデータであって、複数回利用可能なスキャンチケットを記憶するスキャンチケット記憶手段と、
当該複数回利用可能なスキャンチケットを用いた画像読取処理に応じて生成された複数のスキャンデータを、当該スキャンチケットと対応付けて管理する管理手段と、
前記画像処理装置にスキャンチケットの一覧を送信するスキャンチケット一覧送信手段と、
前記順序指定受付手段で指定された順序に従って、当該複数のスキャンチケットデータを当該順序となるようにまとめて登録する登録手段として機能させることを特徴とする情報処理装置のプログラム。